(57)【要約】【課題】袋を閉じる必要性がなく、そのうえ袋内に折り畳み傘が収容された状態で、袋内に溜まった雨水が袋外に漏出しない簡素な構造の折り畳み傘用袋を提供すること。【解決手段】本発明の傘用袋は横長の袋からなり、折りたたみ傘を寝かした状態で収納するための傘用袋であって、前記袋は遮水性と可撓性を有する１枚の合成樹脂シートからなり、前記袋の正面部と背面部が前記袋の底辺を介して連続的に形成され、前記袋の正面部と背面部の左右両側部が接合手段によってシールされてなることを特徴としている。【選択図】図１
2017086616.tif 000002
【特許請求の範囲】
【請求項１】
横長の袋からなり、折りたたみ傘を寝かした状態で収納するための傘用袋であって、
前記袋は遮水性と可撓性を有する１枚の合成樹脂シートからなり、
前記袋の正面部と背面部が前記袋の底辺を介して連続的に形成され、
前記袋の正面部と背面部の左右両側部が接合手段によってシールされてなる
ことを特徴とする傘用袋。
【請求項２】
前記正面部と背面部の両方の上端部がそれぞれ当該袋の内面側に折り返された折り返し部が設けられ、
当該折り返し部はそれぞれ正面部の裏側と背面部の裏側とが接合され、
前記正面部と背面部の両方の上端部の折り返し部同士がジッパーを介して開閉自在である
ことを特徴とする請求項１に記載の傘用袋。
【請求項３】
前記折り返し部に孔部が穿設されてなることを特徴とする請求項１又は２に記載の傘用袋。
【請求項４】
前記合成樹脂シートの表面が疎水性シートからなり、裏面の一部に親水性シートが配されてなることを特徴とする請求項１乃至３に記載の傘用袋。
【請求項５】
前記合成樹脂シート全体を親水性樹脂とし、その表側に疎水性フィルムが積層され、底側、側部の特定の箇所に疎水性フィルムが積層されてなることを特徴とする請求項１乃至３に記載の傘用袋。
【請求項６】
前記横長の袋の底部にマチが形成されてなることを特徴とする請求項１乃至５のいずれかに記載の傘用袋。
【請求項７】
前記袋の正面部と背面部の一方又は両方に印刷インキ層が形成され、当該印刷インキ層に広告又は情報が記載されている請求項１乃至６のいずれかに記載の傘用袋。
【発明の詳細な説明】
【技術分野】
【０００１】
本発明は、折り畳み傘を収容する袋に関する。さらに詳しくは、雨水に濡れた折り畳み傘を折り畳んだ状態で、かつ寝かした状態で収容する袋に関する。
【背景技術】
【０００２】
折り畳み傘は、一端に握り部が取り付けられる中棒（シャフト）が大管と大管に入れ子式に挿入される中管から構成されるものなど多段式の構造を備えていて、中棒を伸縮させることができ、雨除け部の構造についても、親骨が２本以上に折れる構造となっているため、折り畳んで全体形状を小さくすることができる。
【０００３】
かかる構造を備えている折り畳み傘は、外出するときは晴れていて、外出後に降雨が予想されるようなとき便利である。なぜなら、折り畳んだ状態で、鞄やハンドバック等に入れておくと、驟雨に見舞われても、鞄やハンドバックから取り出して、中棒（シャフト）を伸ばし、雨除け部を展開することで対応できるからである。
【０００４】
中棒を伸ばし、雨除け部を展開した状態で折り畳み傘を使用して、例えば、電車の駅に到着すると、人ごみの中で再び中棒を縮め、親骨を折って丁寧に傘生地を折り畳んで専用の傘用袋に入れる作業は意外に厄介であり、コンビニ等で商品を入れるポリ袋などに入れて、鞄に入れる光景を目にすることが多い。しかし、そのようなポリ袋はそもそも濡れた折り畳み傘のために製造されたものではないので、濡れた折り畳み傘をラフに折り畳んでポリ袋に突っ込んで、鞄に入れて帰宅すると、ポリ袋に溜まった雨水がポリ袋の口からこぼれて書類が水浸しになる虞がある。
【０００５】
一方、口が閉じられたものとして、従来ジッパー付きの合成樹脂製袋（以下、ジッパー付き袋）が知られている。しかし、かかるジッパー付き袋は食品類を外気や湿気から遮断することで食品の劣化を防ぐことを目的とするものであるので、折り畳んだ折り畳み傘（一本）を完全に収容し得る大きさのものがないという問題がある。
【０００６】
上述のとおり、折り畳み傘は鞄やハンドバッグの中に入れて持ち歩くものであるにも関わらず、一旦雨に濡れてしまうと、鞄の中に入れることができないという不便がある。このような不便を解決するために、雨に濡れた折り畳み傘を鞄やハンドバックに入れても水が漏出しない折り畳み傘用の傘用袋を提供することを目的としたものとして、特許文献１に開示されたものが知られている。
【０００７】
図６〜７を参照すると、特許文献１の折り畳み傘用袋（１１）はジッパー（１２）が設けられており、折り畳んだ１本の折り畳み傘（１５）が傘用袋（１１）内にぴったりと入る幅と長さを有し、かつ傘用袋（１１）の上部のふち（１３）を長くして、手を掛ける穴（１４）が穿設されている。
【０００８】
また、水に濡れた折り畳み傘を折り畳んだ状態で収納する傘用袋で、鞄等に入れても他の収納物を濡らすことのない折り畳み傘用袋に関するものが特許文献２に開示されている。
【０００９】
一旦降りだした雨が帰宅前に止むこと、或いは地下街やビル内に入って傘が不要となることがあるが、傘が濡れているので、畳んだ状態でハンドバックに入れることはためらわれる。そのため中棒を伸ばした状態で持ち歩くこととなるが、持ち歩く際の振動で、雨よけ部分の親骨が折り畳まれてしまう。そのため折り畳み傘は通常の傘に比べて傘形状のままでは持ち運び難い。特許文献２の折り畳み傘用袋は、かかる従来技術の問題点に注目し、濡れた状態の傘をハンドバックに入れることを目的としている。
【００１０】
特許文献２の折り畳み傘用袋は、袋体と長尺部材とを有し、前記袋体は、遮水性と可撓性を有する素材で作られたものであって一端側だけが開口し、長尺部材は環状に接続する接続部材を有し、前記長尺部材を環状に接続した状態における周長は、袋体の開口近傍の周長の０．５倍以上１倍以下であり、前記長尺部材は一部を残して袋体の開口部に取り付けられ、袋体の内部に折り畳み傘を折り畳み状態で収納可能であり、その状態で、袋体の開口近傍を前記長尺部材を内側あるいは外側にして複数回折り込むことが可能であり、袋体の開口近傍を折り込んだ状態で長尺部材の接続部材を接続して長尺部材を環状にすることが可能であることを特徴としている。
【００１１】
特許文献２の折り畳み傘用袋は、上記構成により、濡れた状態の傘を入れても水漏れがしないので、折り畳み傘用袋の中に濡れた状態の傘を入れ、その袋に入れられた状態で折り畳み傘をハンドバック等に入れて折り畳み傘を持ち運ぶことができるという利点を得ている。
【先行技術文献】
【特許文献】
【００１２】
【特許文献１】実用新案登録第３０５４３１９号公報
【特許文献２】特開２０１０−２７３８８３号公報
【発明の概要】
【発明が解決しようとする課題】
【００１３】
しかしながら、かかる特許文献１、特許文献２記載の折り畳み傘用袋はいずれも縦長であるので、傘用袋内に折り畳み傘が収容された状態で鞄等の中で倒れることがある。そうすると、特許文献１においてチャックが開放されている場合、特許文献２において長尺部材が環状に繋がれていない場合、傘用袋内に溜まった雨水が傘用袋外に漏出するという問題を引き起こす虞がある。
【００１４】
本発明は、傘用袋を閉じる必要性がなく、そのうえ傘用袋内に折り畳み傘が収容された状態で、傘用袋内に溜まった雨水が傘用袋外に漏出しない簡素な構造の折り畳み傘用袋を提供することを目的とする。
【課題を解決するための手段】
【００１５】
本発明の請求項１は、横長の袋からなり、折りたたみ傘を寝かした状態で収納するための傘用袋であって、
前記袋は遮水性と可撓性を有する１枚の合成樹脂シートからなり、
前記袋の正面部と背面部が前記袋の底辺を介して連続的に形成され、
前記袋の正面部と背面部の左右両側部が接合手段によってシールされてなる
ことを特徴とする傘用袋に関する。
【００１６】
本発明の請求項２は、前記正面部と背面部の両方の上端部がそれぞれ当該袋の内面側に折り返された折り返し部が設けられ、
当該折り返し部はそれぞれ正面部の裏側と背面部の裏側とが接合され、
前記正面部と背面部の両方の上端部の折り返し部同士がジッパーを介して開閉自在である
ことを特徴とする請求項１に記載の傘用袋に関する。
【００１７】
本発明の請求項３は、前記折り返し部に孔部が穿設されてなることを特徴とする請求項１又は２に記載の傘用袋に関する。
【００１８】
本発明の請求項４は、前記合成樹脂シートの表面が疎水性シートからなり、裏面の一部に親水性シートが配されてなることを特徴とする請求項１乃至３に記載の傘用袋に関する。代替的に、本発明の請求項５は、前記合成樹脂シート全体を親水性樹脂とし、その表側に疎水性フィルムが積層され、底側、側部の特定の箇所に疎水性フィルムが積層されてなることを特徴とする請求項１乃至３に記載の傘用袋に関する。
【００１９】
本発明の請求項６は、前記横長の袋の底部にマチが形成されてなることを特徴とする請求項１乃至５のいずれかに記載の傘用袋に関する。
【００２０】
本発明の請求項７は、前記袋の正面部と背面部の一方又は両方に印刷インキ層が形成され、当該印刷インキ層に広告又は情報が記載されている請求項１乃至６のいずれかに記載の傘用袋に関する。
【発明の効果】
【００２１】
本発明の請求項１に係る傘用袋は、横長の袋からなり、折りたたみ傘を寝かした状態で収納するための傘用袋であって、前記袋は遮水性と可撓性を有する１枚の合成樹脂シートからなり、前記袋の正面部と背面部が前記袋の底辺を介して連続的に形成され、前記袋の正面部と背面部の左右両側部が接合手段によってシールされてなることを構成上の特徴としているので、横長の袋内に折り畳み傘を寝かせた状態で収容することができる。したがって、折り畳み傘を収容した傘用袋が鞄等の中で傾いたり倒れたりすることがない。このため、傘用袋自体の開口を閉じる必要性がなく、そのうえ傘用袋内に折り畳み傘が収容された状態で、傘用袋内に溜まった雨水が傘用袋外に漏出しない簡素な構造の折り畳み傘用袋を提供することができる。
【００２２】
本発明の請求項２は、前記正面部と背面部の両方の上端部がそれぞれ当該袋の内面側に折り返された折り返し部が設けられ、当該折り返し部はそれぞれ正面部の裏側と背面部の裏側とが接合され、前記正面部と背面部の両方の上端部の折り返し部同士がジッパーを介して開閉自在であることを構成上の特徴としているので、袋の上端部の強度が高められ、かつ傘用袋内に溜まった雨水が傘用袋外に漏出しない効果が一層高められる。
【００２３】
本発明の請求項３に係る傘用袋は、前記折り返し部に孔部が穿設されてなることを構成上の特徴としているので、鞄等の中から傘用袋を取り出す際に、孔部に指を掛けることができるので、傘用袋を取り出しやすいという利点がある。
【００２４】
本発明の請求項４に係る傘用袋は、前記合成樹脂シートの表面が疎水性シートからなり、裏面の一部に親水性シートが配されてなることを要件としているか、或いは代替的に、本発明の請求項５に係る傘用袋は、前記合成樹脂シート全体を親水性樹脂とし、その表側に疎水性フィルムが積層され、底側、側部の特定の箇所に疎水性フィルムが積層されてなることを要件としているので、傘用袋を入れた鞄等を水平にしても、傘用袋内に溜まった雨水を傘用袋内に留めておくことができる。
【００２５】
本発明の請求項６に係る傘用袋は、前記横長の袋の底部にマチが形成されてなることを構成上の特徴としているので、傘用袋に２−３本の折り畳み傘を収容することができる。
【００２６】
本発明の請求項７に係る傘用袋は、前記袋の正面部と背面部の一方又は両方に印刷インキ層が形成され、当該印刷インキ層に広告又は情報が記載されているので、傘用袋を販売促進品として利用できるという効果を奏する。
【図面の簡単な説明】
【００２７】
【図１】本発明の一実施形態に係る傘用袋を示す斜視図である。
【図２】図１の傘用袋の変形例を示す斜視図である。
【図３】本発明の傘用袋の縦断面構造を示す一部切欠き斜視図である。
【図４】図３の傘用袋の変形例の縦断面構造を示す一部切欠き斜視図である。
【図５】図３の傘用袋のさらなる変形例の縦断面構造を示す一部切欠き斜視図である。
【図６】従来の折り畳み傘用袋の説明図である。
【図７】図６の傘用袋に傘が収容された状態を示す説明図である。
【発明を実施するための形態】
【００２８】
添付図面を参照しつつ本発明の実施形態に係る傘用袋について以下に詳細に説明する。
【００２９】
図１は本発明の一実施形態に係る傘用袋を示す斜視図である。図２は図１の傘用袋の変形例を示す斜視図である。図３は本発明の傘用袋の縦断面構造を示す一部切欠き斜視図である。図４は図３の傘用袋の変形例の縦断面構造を示す一部切欠き斜視図である。図５は図３の傘用袋のさらなる変形例の縦断面構造を示す一部切欠き斜視図である。図６は従来の折り畳み傘用袋の説明図である。図７は図６の袋に傘が収容された状態を示す説明図である。
【００３０】
［実施形態１］
図１〜５を参照すると、実施形態１の傘用袋は、横長の袋（１）からなる折りたたみ傘（５）を収納するための傘用袋（１）である。当該傘用袋（１）は疎水性と可撓性を有する１枚の合成樹脂シート（２）から構成される。合成樹脂製シート（２）は、図５に示すように、表側は疎水性シートから成り、裏側（傘用袋（１）の内部側）の一部（例えば、底部（図５の（ａ）参照）、底部及び側部の一部（図５の（ｂ）参照））に親水性シートを配することも可能であり、更に全体を、親水性樹脂を用い表側に疎水性フィルムを積層し、底側（底部）、側部の必要箇所に疎水性フィルムを積層することもでき、そのようにすることで、傘用袋（１）を入れた鞄等を水平にしても、傘用袋（１）内に溜まった雨水を傘用袋（１）内に留めておくことができるという利点がある。
【００３１】
まず、横長の矩形状の長辺同士が重なるように二つ折りにしたシート（２）の正面部（２ａ）と背面部（２ｂ）の両方の上端部をそれぞれ当該傘用袋（１）の内面側に折り返された折り返し部（３）を設けた後、それぞれ正面部（２ａ）の裏側と背面部（２ｂ）の裏側とを接合する。正面部（２ａ）の裏側と背面部（２ｂ）の裏側との接合は、図１〜４において参照符号（４）で示されるように接着剤或いは熱融着等の接合手段によって接合される。本明細書において、正面部（２ａ）の裏側と背面部（２ｂ）の裏側との接合とは、折り返し部（３）の全面に亘って接合することも、部分的に接合することも可能である。
【００３２】
然る後、二つ折りにしたシート（２）の正面部（２ａ）及び背面部（２ｂ）の左右両側部を接合手段（Ｂ）によって接合し、傘用袋（１）を得る。接合手段（Ｂ）としては、熱融着が好適に採用されるが、限定されることはなく、例えば接着剤を用いることも可能である。
【００３３】
図１に示すように、本実施形態の傘用袋（１）の最大の特徴は、折り畳み傘（５）を寝かした状態で収納できる大きさを有していることである。そして、傘用袋（１）の正面部（２ａ）と背面部（２ｂ）は、傘用袋（１）の底辺を介して連続的に形成される（図３、４参照）。前述のとおり、傘用袋（１）の正面部（２ａ）と背面部（２ｂ）の左右両側部が接合手段（Ｂ）によってシールされ、正面部（２ａ）と背面部（２ｂ）の両方の上端部がそれぞれ当該傘用袋（１）の内面側に折り返された折り返し部（３）が設けられ、折り返し部（３）はそれぞれ正面部（２ａ）の裏側と背面部（２ｂ）の裏側とが接合され、正面部（２ａ）と背面部（２ｂ）の両方の上端部の折り返し部（３）同士が閉じられず、開放された開口部を提供する。ここで、図４を参照すると、折り返し部（３）の直下に、雄部（Ｆｍ）と雌部（Ｆｆ）から構成されるチャック（Ｆｍ、Ｆｆ）が好適に取り付けられる。チャック（Ｆｍ、Ｆｆ）を取り付けることによって、傘用袋内に溜まった雨水が傘用袋外に漏出しない効果が得られる。
【００３４】
本実施形態の傘用袋（１）は、かかる構成上の特徴を具備していることにより、寝かした状態で折り畳み傘を鞄等に収容することができる。そして雨に濡れた傘を折り畳んで傘用袋（１）内に収納し、さらに傘用袋（１）を鞄等に入れると手提げ或いは肩から下げた状態では、従来の縦長の傘用袋のように鞄等の中で、傘用袋が横になるということが起こらない。
【００３５】
また限定されないが、本実施形態の変形例として、正面部（２ａ）の裏側と背面部（２ｂ）の裏側とを部分的に接合すると、鞄等を膝の上、或いは机の上に水平にしたときに、接合されていない箇所から、傘用袋内に溜まった雨水が折り畳み部（３）に侵入するため、傘用袋（１）の外に雨水が漏れ出ることが防止される。
【００３６】
ここで、図２を参照すると、本実施形態の傘用袋（１）の変形例は、前記折り返し部（３）に持ち手用の孔部（ＯＰ）が穿設されている。孔部（ＯＰ）が存在すると、鞄等から傘用袋（１）を取り出し易いという利点がある。また、雨の日に映画を観賞したり、デパートで買い物をしたりするとき、必ずしも鞄等を持っていないことがあるが、このようなときには、雨に濡れた傘を大雑把に畳んで傘用袋（１）に入れて携行することができるという利点がある。
【００３７】
ついで図４を参照すると、本実施形態の傘用袋（１）の変形例は、傘用袋（１）の底部にマチ（Ｆ）が形成されている。このようにマチ（Ｆ）を形成すれば、折り畳み傘を２−３本収容することができるという利点がある。
【００３８】
また、図１と４を参照すると、本発明のシート（２）の正面部（２ａ）と背面部（２ｂ）の一方の面又は両方の面に印刷インキ層を形成することができる。印刷インキ層（ＩＫ）を形成するのに用いる印刷インキは、例えば顔料又は染料からなる着色体、バインダー、揮発性有機溶剤を構成成分とするインキが使用される。印刷インキ層を形成する方法は、シート（２）の厚み、サイズ、連続か否かなどにより、グラビア印刷、オフセット印刷、スクリーン印刷その他の印刷方法の中から任意の方法が採用できる。
【産業上の利用可能性】
【００３９】
本発明の請求項１に係る傘用袋は、横長の袋からなり、折りたたみ傘を寝かした状態で収納するための傘用袋であって、前記袋は遮水性と可撓性を有する１枚の合成樹脂シートからなり、前記袋の正面部と背面部が前記袋の底辺を介して連続的に形成され、前記袋の正面部と背面部の左右両側部が接合手段によってシールされてなることを構成上の特徴としているので、横長の袋内に折り畳み傘を寝かせた状態で収容することができる。したがって、折り畳み傘を収容した傘用袋が鞄等の中で傾いたり倒れたりすることがない。このため、傘用袋自体の開口を閉じる必要性がなく、そのうえ傘用袋内に折り畳み傘が収容された状態で、傘用袋内に溜まった雨水が傘用袋外に漏出しない簡素な構造の折り畳み傘用袋を提供することができる。
【００４０】
本発明の請求項２は、前記正面部と背面部の両方の上端部がそれぞれ当該袋の内面側に折り返された折り返し部が設けられ、当該折り返し部はそれぞれ正面部の裏側と背面部の裏側とが接合され、前記正面部と背面部の両方の上端部の折り返し部同士がジッパーを介して開閉自在であることを構成上の特徴としているので、袋の上端部の強度が高められ、かつ傘用袋内に溜まった雨水が傘用袋外に漏出しない効果が一層高められる。
【００４１】
本発明の請求項３に係る傘用袋は、前記折り返し部に孔部が穿設されてなることを構成上の特徴としているので、鞄等の中から傘用袋を取り出す際に、孔部に指を掛けることができるので、傘用袋を取り出しやすいという利点がある。
【００４２】
本発明の請求項４に係る傘用袋は、前記合成樹脂シートの表面が疎水性シートからなり、裏面の一部に親水性シートが配されてなることを要件としているか、或いは代替的に、本発明の請求項５に係る傘用袋は、前記合成樹脂シート全体を親水性樹脂とし、その表側に疎水性フィルムが積層され、底側、側部の特定の箇所に疎水性フィルムが積層されてなることを要件としているので、傘用袋を入れた鞄等を水平にしても、傘用袋内に溜まった雨水を傘用袋内に留めておくことができる。
【００４３】
本発明の請求項６に係る傘用袋は、前記横長の袋の底部にマチが形成されてなることを構成上の特徴としているので、傘用袋に２−３本の折り畳み傘を収容することができる。
【００４４】
本発明の請求項７に係る傘用袋は、前記袋の正面部と背面部の一方又は両方に印刷インキ層が形成され、当該印刷インキ層に広告又は情報が記載されているので、傘用袋を販売促進品として利用できるという効果を奏する。
【００４５】
そして、印刷インキ層（ＩＫ）には、例えば、図１に示されるように、「雨の日は映画を見よう」などの広告が記載される。このようにすることで、本発明に係る傘用袋を販売促進品として利用できるという効果を奏する。
特に雨の日に、本発明の傘用袋が映画館の入口付近で配布され、袋に記載された「雨の日は映画を見よう」といった広告をみた人は、映画を見てみたいという欲求が起こり映画を観賞することになり得る。このため、本発明の傘用袋は映画館等の室内設備に顧客を誘導するグッズとしての効果を奏する。
しかし、印刷インキ層（ＩＫ）に記載される広告は、図１に記載されたものに限定されない。例えば、クリスマス、正月、バレンタインデーといった行事に因んだ広告を記載してこの袋をデパート・ショッピングモール等の店頭で配布してケーキ、チョコレートや和菓子などの店に顧客を誘導することも可能である。
そして、本発明の傘用袋を受け取った人は、折り畳み傘を折り畳んで傘を容易にこの袋に入れることができるので、映画館の館内やケーキ、チョコレートや和菓子などの店内が雨水で汚されることを防止できるという効果を奏し得るのである。
このほか、本発明の傘用袋は、献血、乳癌などの癌の検診、災害（地震、大雨など）の被災地へのボランティアの呼びかけと言った情報を印刷インキ層（ＩＫ）に記載し得る。
【符号の説明】
【００４６】
１          袋
２          合樹脂製シート
２ａ        正面側
２ｂ        背面側
２ＨＰ      親水性領域
３          折り返し部
４          接合手段
５          折り畳み傘
Ｂ          接合手段
Ｆ          マチ
Ｆｍ        ジッパーの雄部
Ｆｆ        ジッパーの雌部
ＩＫ        印刷インキ層
ＯＰ        持ち手用の孔部
【図１】
2017086616.tif 000003
【図２】
2017086616.tif 000004
【図３】
2017086616.tif 000005
【図４】
2017086616.tif 000006
【図５】
2017086616.tif 000007
【図６】
2017086616.tif 000008
【図７】
2017086616.tif 000009